(57)【特許請求の範囲】
【請求項１】
３本の支持脚（３１）を含むスタンド（３０）用のスプレッダであって、
本体（１１）と、
３本のアーム（１２）とを備え、各アーム（１２）の第１の端部が関節結合により前記本体に取り付けられ、前記各アーム（１２）の第２の端部にロック装置の第１のロック要素が設けられ、前記第１のロック要素は、前記支持脚（３１）のロック装置の第２のロック要素（２３）に対する相手方部品として、前記各アーム（１２）に対応する前記スタンドの各支持脚（３１）へ前記各アーム（１２）を着脱可能に結合するために設けられており、
前記３本のアーム（１２）がスタンドの脚として構成されており、前記本体（１１）がスタンドの雲台を受け入れ可能に構成されていることを特徴とするスプレッダ。
【請求項２】
前記各アーム（１２）が前記第２の端部にフット部（２７）を備えることを特徴とする請求項１に記載のスプレッダ。
【請求項３】
前記フット部（２７）が、スパイク、好ましくはゴム付きスパイクの形態を有することを特徴とする請求項２に記載のスプレッダ。
【請求項４】
前記フット（２７）が爪型形状を有し、該爪型形状の先端部に前記スパイク（６０）が設けられていることを特徴とする請求項３に記載のスプレッダ。
【請求項５】
既存の前記フット部（２７）に加えてゴム製のフット部を前記各アームに選択的に連結可能であり、該追加のゴム製のフット部は前記ロック装置の前記第１のロック要素（２２）を介して前記各アームに着脱可能に連結できることを特徴とする請求項３または４に記載のスプレッダ。
【請求項６】
前記第１のロック要素（２２）または前記第２のロック要素（２３）のうちの一方のロック要素が、少なくとも部分的に中空円筒で構成され、前記第１のロック要素（２２）または前記第２のロック要素（２３）のうちの他方のロック要素（２３）も中空円筒で構成され、前記他方のロック要素には、少なくとも前記一方のロック要素の長さより長い凹所が設けられ、前記凹所に前記一方のロック要素が受入れ可能であり、前記一方のロック要素及び前記他方のロック要素の前記中空円筒の部品中を通してロックピン（２５）を差し込むことにより前記各アーム（１２）と前記各支持脚（３１）を固定できることを特徴とする請求項１から５のいずれか一項に記載のスプレッダ。
【請求項７】
前記他方のロック要素の前記中空円筒が、前記凹所の領域に、断面が最大でも半円形であるシェル部を含むことを特徴とする請求項６に記載のスプレッダ。
【請求項８】
前記他方のロック要素の前記中空円筒が、前記凹所（６４）の領域で完全に中断されており、前記中空円筒における前記凹所を向いた面に、最大でも半円形のショルダー部（６２）が形成されていることを特徴とする請求項６に記載のスプレッダ。
【請求項９】
前記中空円筒で構成される前記一方のロック要素が、爪形状を有する前記フット部（２７）を貫通しており、前記ショルダー部（６２）に配置されるリング状のカラー（６１）が前記一方のロック要素の前記中空円筒の両方の出口領域に形成されていることを特徴とする請求項８に記載のスプレッダ。
【請求項１０】
前記本体（１１）が、中心で連続する一脚（４０）用の受入れ穴（２８）を含むことを特徴とする請求項１から９のいずれか一項に記載のスプレッダ。
【請求項１１】
前記一脚（４０）を着脱可能にロックするクランプ装置（２９）をさらに備えることを特徴とする請求項１０に記載のスプレッダ。
【請求項１２】
前記本体（１１）が、前記雲台（５０１）用の固定機構（５０）を備えることを特徴とする請求項１から１１のいずれか一項に記載のスプレッダ。
【請求項１３】
前記アーム（１２）が、入れ子式に伸縮でき、ロック可能に構成されていることを特徴とする請求項１から１２のいずれか一項に記載のスプレッダ。
【請求項１４】
前記アーム（１２）が、案内要素（１８）によって連結されており平行に延びる２つのリム（１６）を含む第１のステージ（１４）と、前記案内要素（１８）中を案内され、前記案内要素に保持される少なくとも１つのリム（１９）を含む第２のステージ（１５）とで構成されることを特徴とする請求項１３に記載のスプレッダ。
【請求項１５】
前記第２のステージをクランプ締めするクランプ装置（２１）を、前記案内要素（１８）に設けたことを特徴とする請求項１４に記載のスプレッダ。
【請求項１６】
前記第２のステージ（１５）をクランプ締めする前記クランプ装置がハンドルによって作動可能なカムで構成され、前記カムが、ロック位置で前記リムの外面を押すことを特徴とする請求項１５に記載のスプレッダ。
【請求項１７】
前記第２のステージ（１５）をクランプ締めする前記クランプ装置（２１）が、ハンドルを備えたねじで構成され、該ねじが、ロック位置で前記リムの外面を押すことを特徴とする請求項１５に記載のスプレッダ。
【請求項１８】
前記第２のステージの前記リム（１９）の端部であって、前記第１のステージ（１４）に向いている方の端部が両側で前記第１のステージ（１４）の前記平行なリム（１６）の内側に支持されることを特徴とする請求項１４から１７のいずれか一項に記載のスプレッダ。
【請求項１９】
請求項１から１８のいずれか一項に記載のスプレッダ（１０）とスタンド（３０）とを含むセットであって、前記スプレッダ（１０）が、選択的に、前記スタンド（３０）の三脚に着脱可能に固定され、または、独立のスタンドとして機能できることを特徴とするセット。
【請求項２０】
請求項１９に記載のセットであって、更に一脚（４０）を含み、前記一脚（４０）を、前記スタンド（３０）の前記３本の脚（３１）を結合する結合部品（３５）の開口部を通して、前記スプレッダ（１０）の受入れ穴（２８）に差し込むことができ、前記スプレッダ（１０）のクランプ装置（２９）によって前記一脚（４０）を固定可能であることを特徴とするセット。
【請求項２１】
前記一脚（４０）が入れ子式のチューブであることを特徴とする請求項２０に記載のセット。
【請求項２２】
前記スタンド（３０）の前記結合部品（３５）が、前記一脚（４０）を固定するための更なるクランプ装置（５１、４５）を備えることを特徴とする請求項２０または２１のいずれかに記載のセット。
【請求項２３】
前記クランプ装置の少なくとも１つがハンドルによって作動可能なカムで形成され、前記カムがロック位置で前記一脚の外面を押すことを特徴とする請求項２０から２２のいずれか一項に記載のセット。
【請求項２４】
前記スタンドの前記支持脚（３１）が入れ子式であることを特徴とする請求項１９から２３のいずれか一項に記載のセット。
【発明の詳細な説明】
【技術分野】
【０００１】
本発明は、３本の支持脚を有するスタンド用スプレッダ、具体的には、ミッドレベルスプレッダに関する。さらに、本発明は、少なくとも前記スプレッダおよびスタンドを含む多機能のセットにも関する。詳細には、本発明は、映画およびテレビ産業で使用するスタンド、具体的には、例えば、カメラや照明などの映画およびテレビ産業で使用する装置を受け入れ、取付するスタンド用のスプレッダに関する。
【背景技術】
【０００２】
三脚用スプレッダを使用して、スタンドの脚を広がった姿勢で安定させ、これによりスタンドの剛性を向上することが従来技術でよく知られている。これに関しては、フロアスプレッダとミッドレベルスプレッダの両方が知られている。フロアスプレッダは、スタンドのフット部（足先部）の領域でスタンドに連結されるが、一方、ミッドレベルスプレッダは、スタンドのフット部と結合部品の間の領域で支持脚に取り付けられ、スタンドに雲台が選択的に受け入れられる。
【０００３】
具体的には、報道分野で、また、極限タイプのスポーツを撮影するとき、ドキュメンタリーレポートを制作するとき、または結婚式のビデオなどのセミプロの分野でも、カメラの支持部を常に対応する撮影位置に移動しなければならず、迅速に位置を変更する場合には、同時に変更しなければならないことがある。したがって、必要な個々の構成要素の数を減らすために、構成要素を別々にまたは様々な組合せで使用することができるモジュールシステムが必要とされる。さらに、そのシステムを手ごろな値段で提供することが可能でなければならず、動作の際には、柔軟で簡単に移動および組立て可能でなければならない。
【発明の開示】
【発明が解決しようとする課題】
【０００４】
したがって、本発明は、従来のスプレッダの機能を提供するだけでなく独立の機能を提供することもできる多機能の装置を作るように既知のスプレッダをさらに発展させるという目的に基づいている。さらに、本発明の目的はまた、構成要素を別々に使用することも、（互いに補い合いながら）組み合わせて使用することもできるモジュールシステム形態のセットを作ることにある。
【課題を解決するための手段】
【０００５】
上記の目的は、請求項１の特徴を有するスプレッダおよび請求項１９の特徴を有するセットによって達成される。
【０００６】
本発明の有利な発展形態が、下位請求項に記載される。
【０００７】
本発明は、スプレッダを独立のスタンドとして別個に使用して、例えば、カメラまたは照明あるいは同様の装備を受け入れ、搭載できると共に、このような種類のスプレッダと三脚のセットであって、スプレッダとしての機能で三脚を安定させ剛性を向上したり、スプレッダを別個の独立のスタンドとして使用可能なセットを作れるように従来技術から知られているスプレッダを発展させるという考えに基づいている。
【０００８】
したがって、本発明のスプレッダは、特にミッドレベルスプレッダを含み、３本の支持脚を有するスタンド用であって、特に映画およびテレビ産業で使用する装置、例えばカメラを受け入れ、搭載するスタンド用のものであり、本体および３本のアームを備えている。スプレッダの３本のアームはそれぞれ、第１の端部で関節結合により本体に取り付けられる。これは、好ましくは、本体に対してアームの長手方向に垂直に延びるジョイント軸の周りを回転可能であることを意味する。アームの第２の端部にロック装置の第１のロック要素が設けられ、この第１のロック要素は、スタンドの各支持脚にあるロック装置の第２のロック要素に対する相手方部品として、スタンドの対応する支持脚への着脱可能な連結のために設けられる。言い換えると、各アームの第２の端部の第１のロック要素が、スタンドの支持脚にある対応する第２のロック要素と係合して、その支持脚にスプレッダの対応するアームが連結されることになる。本発明によれば、スプレッダの３本のアームは、それら自身もスタンドの脚として構成され、すなわち、３本のアームが互いに異なる調節位置に配置され（前述の回転軸の周りの回転角が異なって配置され）、任意の床の上にて三脚の姿勢になるように構成されており、それにより、３本のアームで立つスプレッダが「ミニ」スタンドを形成する。さらに、本体は、例えばテレビカメラをその上に取り付けることができるスタンドの雲台（ヘッド部）を受け入れ、搭載するように構成される。
【０００９】
アームを床に効率的に安定して配置することを可能にするには、アームがそれぞれ第２の端部にフット部（foot、足先部又は足部）を有することが好ましい。これらのフット部を、スプレッダをスタンドとして使用するときにアームを床に安全で滑らないように立たせるスパイク、好ましくは、ゴム付き（rubberised）のスパイクの形態で構成することができる。特に好ましくは、フット部は、爪（例えば、鷲の爪）の形態で実現され、それらの先端部が前述のスパイクを有する。これらのフット部は、アームと一体に構成でき、または、別個の部分として構成でき、例えば、中空の形をしたアーム（チューブ）に挿入されてよく、そして、これらフット部に加えてゴム製フット部が選択的に設けられてよく、この追加のゴム製フット部は、好ましくは平坦または水平の接触面を有しており、ロック装置の第１のロック要素を介して各アームに着脱可能に連結される。すなわち、スプレッダがスタンドとして使用される場合は、対応する相手方部品を有するフット部を、スタンド上の第２のロック要素と同様にして、各アームの第１のロック要素上に取り付け固定することができる。スプレッダを後で再びスプレッダとして使用する場合には、スタンドの第２のロック要素への第１のロック要素の連結を容易にするために、フット部を再び取り外すことができる。
【００１０】
スプレッダのアームをスタンドの対応する支持脚に連結する第１または第２のロック要素（一方のロック要素）は、少なくとも部分的に中空円筒で構成される。対応する他方のロック要素も同様に中空円筒として構成されるが、少なくとも第１または第２のロック要素（上記の一方のロック要素）の長さより長い凹所が、対応する第１または第２のロック要素（上記の一方のロック要素）を凹所に受け入れ、収容することができるように設けられる。例えば、他方のロック要素は、対応する第１または第２のロック要素（上記の一方のロック要素）の長さより長い凹所が設けられた中空円筒のロック要素であり、その中空円筒の少なくとも半分が利用される。端部領域では中空円筒が残されてリング状の端部が形成される一方、凹所の領域には、断面が最大でも半円形であるシェル部（shell、外殻部）が形成される。ロックのために、第１または第２のロック要素（上記の一方のロック要素）が、対応する他方のロック要素に挿入され、中空円筒の第１または第２のロック要素（上記の一方のロック要素）が、中空円筒の他方のロック要素の凹所で係合する。断面がリング状の端部及び第１または第２のロック要素（上記の一方のロック要素）の中空円筒部分を通してロックピンを挿入することにより、スタンドのそれぞれの支持脚上にスプレッダのアームがロックされ、同時に、中空円筒ロック要素の中心軸周りに、ピンを回動軸としてアームを回転させることが可能になる。あるいは、第２または第１のロック要素（上記の他方のロック要素）の中空円筒の形状を、凹所領域で完全に中断し、途切れさせることができ、最大でも半円形のショルダー部が、凹所に向いた面または中空円筒の部分の端部に形成される。この構成の場合は、第１または第２のロック要素（上記の一方のロック要素）の中空円筒が、爪形のフット部を貫通し、前述のショルダー部に配置されるリング状のカラーを両側の出口面に形成することが特に好ましい。ロックピンは、好ましくは、第２または第１のロック要素（上記の他方のロック要素）のボルトまたはピンであり、ロック方向に（ばねにより）突き当てられており、突き当てる力に対抗してロック位置からピンを抜き出し、これにより第１または第２のロック要素（上記の一方のロック要素）との係合を解除するためにピンの一端にハンドルが設けられている。
【００１１】
本体が、一脚を受け入れるために使用される中心の連続する受入れ穴（又は受容穴、取付穴、accommodating hole）を含むことも好ましい。有利には、一脚は、断面が円形の入れ子式のチューブであり、そのため受入れ穴も円形である。
【００１２】
一脚を受入れ穴に固定し、また一脚が動くときに選択的にブレーキをかけるために、一脚を本体にロックするクランプ装置を設けることが好ましい。好ましくは、こうしたクランプ装置は、一方の端部にハンドルを有し、もう一方の端部にねじ山を設けたボルトであり、ボルトのねじ山は、平行移動可能なブレーキ／ロックシューの雌ねじと係合し、ハンドルを使用してボルトを回転させると、一脚の挿入されたチューブをブレーキ／ロックシューが（径方向に）圧迫する。あるいは、クランプ装置がカムを有することも考えられ、そのカムは、一脚を長手方向にロックするために、ハンドルを使用して直接または間接的に作動させることができ、ロック位置では一脚の外面を（径方向に）押す。好ましくは、カムは、本体に取り付けられた軸方向に回転可能なレバーと一体に構成される。
【００１３】
さらに、本発明の一実施形態によれば、本体は、スタンドの雲台用の固定機構を備え、その固定機構は、好ましくは、雌ねじを設けたナット型の構成要素であり、スタンドの雲台のねじ付きのボルトを受け入れるように設けられる。その構成要素は、好ましくは、前述の本体の受入れ穴に挿入され、有利には、外周に沿って配置されたラッチ式フックによって受入れ穴に一時的かつ着脱可能に保持され、ラッチ式フックは、受入れ穴の内周のカラーの後ろ又は内側で係合する。
【００１４】
さらに、スプレッダが入れ子式に伸縮でき、ロック可能なアームを有することが好ましく、アームは、有利には、案内要素によって連結されており平行に延びるリムを含む第１のステージ（第１段部）と、案内要素中を案内されその中で保持される少なくとも１つのリムを含む第２のステージ（第２段部）とから構成され、これにより、入れ子式にその長さを変更し各位置でロックすることができるアームを有する安定した信頼性のあるスタンドが作られる。
【００１５】
入れ子式に移動可能な脚を対応する相対位置にロックするために、好ましくは、第２のステージをクランプ締めするクランプ装置が案内要素に設けられる。一脚をクランプ締めする前述のクランプ装置と同様に、第２のステージをクランプ締めするこのクランプ装置を、ハンドルによって作動可能なカムとすることができ、そのカムは、リムをロックするためにロック位置で（径方向に）リム外面を押す。カムを有するハンドルの実施形態は、前述のものと同じにすることができる。あるいは、ハンドルを備えたねじ、例えばきざみ付きのねじまたはそれに相当するねじを使用することも可能であり、そのねじは、ロック位置で、連続するねじ穴へとねじ込むことにより、リムをロックするためにリム外面を（径方向に）押す。受入れ穴への一脚のロックに関して上述の構成を利用することも可能である。こうした前述の２つの実施形態に加え、従来技術から知られた他のロック機構も選択肢として利用することが考えられることも明らかである。
【００１６】
第２のステージの案内をさらに改善するために、第１のステージに向いている第２のステージのリム端部は、第１のステージの平行なリムの内側に両側で支持される。その場合、第２のステージのリムが、対応する端部にさらなる案内要素を備えることも適しており、さらなる案内要素は例えばプレートを有し、部分的にまたは完全に第１のステージの２本のリムを（例えば、扇形又は部分形状の凹所によって）取り囲み、リムに沿って案内される。
【００１７】
本発明によるスプレッダに加えて、本発明は、上述のようなスプレッダおよび三脚を含むセットまたは多機能システムも提案し、そこでは、スプレッダは、三脚に任意に着脱可能に固定することもでき、独立のスタンドとして働くこともできる。
【００１８】
そのシステムを、有利には、一脚によって補足することができ、その一脚は、任意に、スタンドの３本の脚が関節結合により取り付けられるスタンド結合部品の開口部中を通して、スプレッダの受入れ穴に案内され、スプレッダのクランプ装置によって固定することができる。これにより、さらに多機能のセットが作られ、その多機能のセットでは、スプレッダは、三脚を安定させその剛性を向上させるスプレッダとして使用でき、またはスプレッダを独立のスタンドとして使用することができ、また、一脚を、独立して一脚として使用することもでき、また上述のように、中心ポールを有し入れ子式に伸長可能なスタンドを形成するために三脚とスプレッダを組合せで使用することもできる。
【００１９】
その場合は、一脚が入れ子式のチューブ、すなわち、入れ子式に伸長可能であることが明らかに好ましく、そして一脚は、入れ子式のチューブを形成するように互いに挿入可能な部分チューブの相対位置を固定するための更なるクランプ装置を備える。こうしたクランプ装置は、例えば、コーン状のリング（内側リング）を含み、そのリングに相手コーンを有する更なるリング（外側リング）がねじ込まれて、内側リングのコーンをチューブに対して（径方向に）押すように構成することができる。外側リングを相手コーンにしっかりとねじ込むと、内側コーンが、内側リングを内側チューブに対して押し付け、したがって、チューブの相対位置が固定される。しかし、代わりに、上述した他のカム／レバーまたはねじを使用することも考えられる。
【００２０】
さらに、スプレッダおよび三脚との組合せで一脚を安定させるために、スタンドの結合部品は通常は一脚を固定するクランプ装置を備えて構成されるべきである。これに関して、スタンドおよびスプレッダのクランプ装置を同一に構成することができ、例えば、上述の如くロック位置で一脚の外面を（径方向に）押すようにハンドルによって作動可能なカムでクランプ装置を構成でき、または任意の他の形態でクランプ装置を構成できる。
【００２１】
最後に、スタンドの脚、すなわちスタンドの支持脚が、入れ子式であることも明らかに好ましい。そのために、従来技術から知られている様々なタイプのシステムが考えられる。
【００２２】
本発明によるスプレッダは、三脚を安定させるスプレッダとしても、独立のスタンドとしても使用することができる多機能装置を作り出す。さらに、本発明によるセット、特に一脚も組み合せたセットは、非常に柔軟なモジュールシステムを作り出し、そのモジュールシステムは、非常に幅広い種類の方法で使用することができ、構成要素を別個でも、または様々な組合せでも使用することができる。さらに、多機能性を考慮に入れると、こうしたシステムは、数個の部品しか含まず、組立てまたは分解に複雑な手順を含まずに、簡単かつ効果的に運ぶことができる。
【００２３】
本発明のさらなる利点および特徴は、添付の図面を参照した以下の好ましい実施形態の詳細な説明から明らかである。簡単のため、同一または同様の要素には、図面中で同じ参照番号を付した。
【発明を実施するための最良の形態】
【００２４】
図１（ａ）は、本発明によるスプレッダ１０を示し、図１（ａ）ではスプレッダ１０がスタンドとして使用される。図１（ｂ）では、スプレッダは、三脚を安定させるために三脚２０に連結される。
【００２５】
スプレッダは、本体１１と、それに関節結合手法により連結された３本のアーム１２とを備える。この点に関し、アーム１２は本体１１に取り付けられており、アーム１２の長手方向に対してほぼ垂直の回転軸１３の周りを回転することができる。
【００２６】
図示の実施形態では、アーム１２は、第１のステージ１４および第２のステージ１５を含む。第１のステージは、断面が円形で互いに平行に延びる２本のポールまたはチューブ１６から形成され、それらのポールまたはチューブ１６は、第１のステージ１４のリムとしても記載されている。それらリムは、連結要素１７によって互いに連結され、連結要素１７は関節結合により本体１１に取り付けられており、これにより軸１３の周りを回転することができる。リム１６のもう一方の端部では、それらリムが同様に更なる要素すなわち案内要素１８によって互いに連結される。その案内要素１８には、貫通開口部（図示せず）が設けられ、第２のステージ１５の円形の断面のリム（ロッドまたはチューブ）１９が、その貫通開口部を貫通し、貫通開口部により案内される。さらに、第１のステージ１４を向いている方のリム１９の端部には、プレート２０がさらなる案内要素として固定され、プレート２０は、リム１９の両側で第１のステージ１４のリム１６を部分的に取り囲み、したがって、第１のリム１９の両側をこれらリム１６に対して支持する（この点に関しては、図４の拡大図も参照）。
【００２７】
貫通開口部の領域では、案内要素１８上には、ねじの形態のクランプ装置２１も設けられ、そのねじの頭部は手動で動かすことができる。ねじをねじ込むことにより、そのねじをリム１９の半径方向に動かし、ロック位置にてリム１９を固定するようにリム外面にねじを押し付け、または、平行移動可能なシュー片（shoe、押圧片）を動かして（一脚のロックに関する後述の説明を参照）、この方法でもリム１９の外面をロック位置にて押圧する。
【００２８】
プレート２０と反対側のリム１９の端部には、第１のロック要素２２（図２）が設けられる。これに関して、当然第２のリム１９に対してさらなるリムを受け入れることが可能であり、さらなるリムは、リム１９に対して入れ子式に移動することができ、リムが中空のチューブで構成され、対応する相対位置にロックできることが留意される。したがって、第１のロック要素２２は、リム１９または選択的に設けられる更なるリムに固定される。さらに、この端部には、一体のゴム付きスパイクのようなフット部２７も設けられ、スプレッダ１０をスタンドとして利用するときに使用される（図１（ａ））。あるいは、考えられるところでは、接触面が平坦なフット部を使用することも任意に可能であり、フット部は好ましくはゴム製であり、第１のロック要素２２に着脱可能に取り付けることができ、詳細に言うと第１のロック要素２２と同じようにスタンドの支持脚３１にロックすることができる（以下の説明を参照）。
【００２９】
後者のためにスタンドは第２のロック要素２３を備える。図示の実施形態では、ロック要素２３は、スタンド３０の各支持脚３１の第１のステージにある連結部品３３に取り付けられる。その際、スタンドの脚３１は、スプレッダのアーム１２と同様に構成される。すなわち、第１のステージが同様に平行に延びる２本のリム３４を備え、それらのリム３４はスタンド３０の連結部品３３及び結合部品３５を介して連結され、結合部品３５が雲台（後述を参照）を受け入れ、搭載する。第２のステージ３６に関しては、リム１９を１本だけ設けるのではなく、スタンドの場合は、第２のステージも２本のリム３７を備える。それらのリム３７は、スプレッダ１０のアーム１２の１本のリム１９と同様に、案内要素３３中を案内される。さらに、第２のステージ１５のプレート２０と同様に、第１のステージ３２に向いている側にて更なる案内要素３８が２本のリム３７に連結されており、ただし、これは第１のステージのリム３４を完全に取り囲む（図５も参照）。連結要素３３のロックは、やはり好ましくはカムを有するレバー４１によって行われ、そのカムは、レバーのロック位置で第２のステージ３６のリム３７を径方向に直接または間接的に押す。もちろんスタンド３０は、リム１９を１本だけ含むスプレッダ１０と同様に構成することもでき、スプレッダ１０は、リム１９の代わりに、スタンドのリム３７と同様に２本のリムを有するように構成することもできる。従来技術から知られているものなど、入れ子式の脚の他の実施形態も考えられ、それは、別個のステージの相対位置を固定するロック機構およびクランプ機構にも言えることである。
【００３０】
図示の実施形態では、第１のロック要素２２は中空円筒として構成され、中空円筒の中心軸２４に沿って長手方向にある幅すなわち長さを有する。
【００３１】
第２のロック要素２３は、同様に、中空円筒として構成されるが、その中空円筒の中心軸に沿った全幅に関しては、第１のロック要素２２より長くなるように構成される。第２のロック要素２３の中空円筒の２つの端部間には、少なくとも中空円筒２２の幅すなわち長さに対応するように、この領域では断面が最大でも半円になるようにして第２のロック要素２３の中空円筒に凹所を設けて、これにより、ロック要素２２をこの凹所またはシェルに差し込むことができ、中空円筒を完成できる。ロックのために、第２のロック要素２３の断面が円形の端部２６を貫通し、第１のロック要素２２の中空円筒を通り、２つの要素２２、２３を連結するようにしてロックピン２５が差し込まれる。図２を参照すると、ロックをよりうまく示すために連結要素３３を破線でのみ示すが、実際には、ロック要素の前方または外側に配置されることが留意される。
【００３２】
スプレッダ１０の本体１１はさらに、一脚４０（図１（ｃ））を受け入れることを可能にするために、円形の開口部である受入れ穴２８を有するように構成される。さらに、一脚４０をロックするために、クランプ装置２９が本体１１に設けられる。このために手動で作動可能なねじ２９を設けることができ、そのねじ２９は、ねじ込まれると一脚４０の径方向に移動し、入れ子式のチューブとして構成された（後述を参照）一脚４０をロックするためにそのチューブの外面を直接押す。あるいは、ここでは、レバーとカムの連結によるクランプを利用することも当然考えられ、それは当然スプレッダ１０のアーム１２のクランプ装置２１のためにも同様に使用することもできる。さらなる変形形態を後で図４を参照して検討する。
【００３３】
同様に、本体１１は、例えばカメラを搭載するスタンド雲台５０１を受け入れ、搭載するのに適している。そのために、本体１１は、好ましくは、固定機構５０を備え、それについては、後で図８を参照して説明する。
【００３４】
すでに述べたように、スタンド３０はまた３本の支持脚３１を有し、各支持脚３１は２つのステージ３２および３６を含み、第１のステージ３２またはそのリム３４は、ジョイント軸３９の周りを回転することができるようにスタンド３０の結合部品３５に連結される。回転軸１３と同様に、回転軸３９は支持脚３１（レバー４１）の長手方向にほぼ垂直に延びる。さらに、脚３１も同様に反対側の端部にスパイクの形態のフット部３８を備える。さらに、水平のスタンド面を有するフット部、好ましくは、ゴム製のフット部（図示せず）を取付け可能にするように構成され、この場合、水平面を有するフット部がスパイクの代わりに用いられるが、スパイクはスタンドに残ったままである。
【００３５】
すでに述べたように、図１（ｃ）に示す一脚は、入れ子式のチューブであり、互いに対して移動可能な外側チューブ４２および内側チューブ４３を含む。チューブ４２、４３の相対位置を固定するために、設置面に向いているチューブ４２の端部が雄ねじを含み、その上に外側リング４４をねじ留めすることができる。この外側リング４４は内側コーンを備え、外側リング４４がねじ山にねじ留めされるときに、その内側コーンは、内側リングに設けられた対応する逆向きの相手コーン（図示せず）を押す。この（外側リング４４が締められた）状態では、内側リングが、内側チューブ４３を固定するために内側チューブ４３を径方向に押す。さらに、スタンド３０の結合部品３５にも開口部が設けられ、それにより、一脚４０の差込み、すなわち一脚４０のチューブ４２の差込み、および固定機構５０の使用が可能になる（後述を参照）。さらに、この開口部の領域には、レバーの形態のさらなるクランプ機構４５も設けられる。そのクランプ機構４５はカムを動かし、そのカムは、レバー４５と一体にまたはそれとは別個に設けることができ、レバーのロック位置では、チューブを結合部品３５に固定するために（やはり後述を参照）チューブ４２の外面を径方向に圧迫する。
【００３６】
スプレッダ１０の本体１１は、例えば、７５ｍｍの油圧雲台を受け入れるように構成することができ、一方、結合部品３５は、一脚４０を受入れ可能であることに加えて、１００ｍｍの油圧雲台を受け入れるのに適している。しかし、例えば、アダプタまたは他の固定機構５０によって、他のスタンド雲台を取り付けることも考えられる。
【００３７】
本発明の基本的なモジュールセットは、スプレッダ１０およびスタンド３０を含む。こうしたモジュールのコンセプトは、スプレッダ１０を独立のスタンドとして別個に用い、スタンド雲台５０１を本体１１に固定するという選択肢を提供し、また、スプレッダ１０をスタンド３０と一緒に使用し、ロック要素２２、２３およびピン２５によって連結し、したがって、スタンド３０を安定させるという選択肢を提供する。
【００３８】
本発明の拡張セットは、さらに一脚４０を含む。これは、図１（ｃ）に示すように、スタンドの雲台５０１が（選択的に固定機構５０を介して）一脚４０に連結されることで別個に使用することができ、または、一脚４０をスタンド３０のみと使用でき（図示せず）、しかし、好ましくはスタンド３０とスプレッダ１０の組合せとともに使用できる（図１（ｄ））。これにより、延長可能な中心ポスト（一脚４０）を有するスタンドが作られる。
【００３９】
スタンド３０およびスプレッダ１０ならびに選択的に一脚４０を含むこうしたシステムを、非常に柔軟かつ様々に使用することができることが明らかである。これは、複雑な組立て手順も必要としない。
【００４０】
スプレッダ１０をスタンドとして使用する場合は、スタンド雲台５０１を本体１１に固定することのみが必要とされる。スプレッダ１０を使用してスタンド３０を安定させる場合は、アーム１２の単純な連結によって、スプレッダ１０を支持脚３１ならびにロック要素２２、２３および２５に単にロックするだけである。そして、カメラの雲台５０１を結合部品３５上に配置することしか必要とされない。一脚４０を単独で使用する場合は、一脚４０は単にスタンドの雲台５０１に連結されるだけである。上述のように図１（ｄ）に示す組合せを使用する場合は、スプレッダ１０をスタンド３０に挿入し、外側チューブ４２を、スタンド３０の結合部品３５の開口部中を通して差し込み、スプレッダ１０の本体１１の受入れ穴２８中を通して案内する。この場合、固定機構５０は取り外される。スタンド３１の脚を床に応じて配置するようにこうした組合せを調節する場合、スタンド３１の脚またはアームが固定され、一脚４０がクランプ２９および４５によってクランプ締めされる。
【００４１】
非常に柔軟に用いることができるシステムを使用することにより、単純な組立て手順のみ必要とし、それにより、機敏で柔軟な使用を可能にすることが明らかである。
【００４２】
さらに、モジュール構造は、少しの部品しか含まず、そのため、簡単かつ効率的に運ぶことができる。これにより、そのセットを一般的な鞄で運ぶことが可能であることが有利である。
【００４３】
図４に示すスプレッダは、図１（ａ）に示すスプレッダとは、具体的には、アーム１２とスタンド３０の支持脚３１とのロックが異なる。さらに、これらの図は、脚１２の第１のステージと第２のステージをクランプ締めするクランプ装置２５をより詳細に示す。
【００４４】
スプレッダ１０をスタンド３０に後でロックする（後で説明する）ことに加えて、一脚４０をクランプ締めするロック装置２９も少し異なって構成される。例えば、これは、回転可能に取り付けられたボルト５２を必要とし、ボルト５２はハンドル５１を備え、また、ボルト５２はハンドル５１の反対側の端部にねじ山を有する。このねじ山は、シュー片５３の雌ねじと係合する。ハンドル５１によってボルト５２を回転させると、外側チューブ４１をクランプ締めするために、シュー片５３が外側チューブ４１の径方向に進む。その場合は、あらかじめ指定したボルト５２の最大回転数が、過度のクランプ締めを防止するように働くことができる。例えば、この場合は４分の１回転または半回転に定めることができる。
【００４５】
固定機構５０は、スタンドの雲台を取り付けるためだけに使用され、本体１１にて一脚４０を利用するためには使用されない。そのため、スタンドの雲台は本体１１の上部に配置され、そして、受入れ穴２８中を通って突き出すねじ（図示せず）を備える。これが、固定装置５０の雌ねじ５４と係合し、したがって、固定装置がナットとして機能し、スタンドの雲台５０１を固定するためにハンドル領域５５を使用して締められる。円周に配置されたリブ５６は、いくつかの凹所によって中断され、外側に突き出した突起５７を有し、固定機構５０を受入れ穴２８に一時的に保持するラッチ式フックを形成し、そのラッチ式フックは、受入れ穴２８の内周に沿ったカラーの後ろで係合する（図４参照）。固定機構５０の正確な実施形態に関しては、具体的には図８を参照する。
【００４６】
すでに述べたように、図４のスプレッダ１０は、図１（ａ）および図２とは第１のロック要素も異なる。前述のように、これは、第１のステージ１４から離れる方に向いたリム１９の端部に取り付けられる（この点に関しては具体的には図９も参照）。リム１９の該端部から爪形のフット部２７が延び、その先端部がスパイクのようなゴム部分６０で形成される。第１のロック要素２２がこのフット部２７に組み込まれる。第１のロック要素２２は、中空円筒の貫通穴から形成され、フット部２７を貫通する。中空円筒の貫通穴は、フット部２７の側面にそれぞれカラー６１を備える。言い換えると、中空円筒が、フット部の両側でフット部を通して押され、カラーを形成するために側面からある距離だけ突き出す。
【００４７】
図４に示すスプレッダ１０をスタンド３０に連結するには、例えば、図６に示すように、第１のロック要素２２が、スタンドに設けられた第２のロック要素２３と協働する。図１０に拡大して示すこの第２のロック要素２３は、同様に中空円筒として構成されるが、カラー６１の両面間の距離の幅に応じて中央に完全な凹所が設けられており、半円または半リング状のショルダー部分が、中空円筒の凹所部分の両側に設けられている。さらに、ロック位置では、ピン２５が、ばね（図示せず）によってあらかじめ応力がかけられて付勢されており、ピン２５はハンドル６３に連結されており、そのハンドル６３によって、ピン２５を、ばねの弾性に逆らって凹所６４から引き出すことができる。図１０には、凹所に突き出したピン２５が示されていない。しかし、図６で見ることができる。図４に示すように、スプレッダ１０の各アーム１２のフット部２７が凹所６４に対応するように挿入されると、フット部２７が第１のロック要素２２としてのカラー６１にてショルダー部６２上に配置される。フット部の挿入を可能にするために、ばねの弾性に逆らって、ハンドル６３によってピン２５を凹所６４から引き出す。挿入後には、スプレッダアーム１２のスタンドアーム３１への結合を完了するために、ハンドル６３が解放され、ピン２５は、ばねの弾性によって掛け金を閉じるように動き、中空円筒のロック要素６１を貫通し、さらに図１０に示すように凹所６４の右側で第２のロック要素２３の中空円筒部分を貫通する。
【００４８】
図８に示すのと同様の固定機構５０を使用して、スタンドの雲台をスタンド３０上に取り付けるが、これは、小型のスタンドまたはスプレッダ１０を対象としている。これらは、寸法（直径）のみが異なる。しかし、原理は同じであり、そのため、これ以上説明は必要ない。
【００４９】
最後に、図７は、図１（ｃ）による一脚４０および代替の実施形態を斜視図に示す。これに関して、一脚は、図１（ｃ）に示すものとは、具体的には、入れ子式のチューブ４２および４３をロックするクランプ締め機構が異なる。ここでは、カム７２が一体に構成されたレバー７１が使用され、図７に示すロック位置で、カム７２は、チューブ４３の外周を把持するために、スロット型リング７３を加圧する。レバー７１およびカム７２を有するリング７３は、外側チューブ４２に取り付けられる。固定機構５０によるスプレッダ１０およびスタンド３０の場合と同様にして、スタンドの雲台５０１を一脚４０に固定し、これは、原理に関しては図１０と同様であり、これ以上の説明は必要ない。
【００５０】
一脚４０のフット部についても図７を参照して説明する。このフット部は、球形を切断した形状のゴム付き部分７４を備え、ゴム付き部分７４は、レバー７５に取り付けられ、具体的にはその下向きの面に取り付けられている。レバー７５は、外側チューブ４２の回転軸７６の周りを回転可能に取り付けられ、その回転軸７６は、一脚４０の長手方向に対してほぼ垂直に延びる。さらに、レバー７５は、リム７７を備え、図７（ｃ）に示すように、レバー７５を軸７６周りに回転させることによって、リム７７を地面または床と接触させることができる。こうした状態では、リム７７を使用してフット部が実現されており、レバー７５をフット部の支持部ということもできる。これにより、カメラの首を振るときにチューブの回転を防止することが可能であり、一脚が同時に回転しダンピング効果を相殺することなしに、スタンドの雲台（油圧雲台）によるカメラダンピングの利点を十分に利用できる。
【００５１】
スタンド３０およびスプレッダ１０の２箇所のクランプ締め点で一脚４０を固定することができることから、主軸とスタンドの間の非常に正確な連結と、それによる非常に正確な位置調整を実現する。
そうでない場合は、一脚４０は前述のものと変わらない。
【００５２】
明らかに、説明してきた個々の実施形態の個々の特徴は、技術的に両立できないということにならない限り任意の手法で互いに組み合わせることができる。異なるタイプのクランプおよび固定装置を交換することも可能であり、図４に示すスプレッダ１０のフット部およびロック要素の組合せを使用して、接触面が平坦な追加のフット部、好ましくは、ゴムフット部を追加することも考えられる。
【００５３】
上記のように、柔軟な動作を可能にするモジュールシステムに加えて、本発明によるスプレッダおよび上述のシステムは、特に報道の目的において、また極限タイプのスポーツを撮影するとき、ドキュメンタリーレポートを作るとき、また例えば結婚式のビデオのようなセミプロの分野でも、多数の異なる機材を運ぶ必要のないカメラ支持体の提供を初めて可能にするものである。
【図面の簡単な説明】
【００５４】
【図１】本発明のモジュールセットの斜視図であり、（ａ）はスプレッダをスタンドとして使用する図であり、（ｂ）は三脚を安定させるためにスプレッダを使用する図であり、（ｃ）は一脚を別個のスタンドとして使用する図であり、（ｄ）は三脚を安定させるためにスプレッダ使用し、一脚を三脚の中心チューブとして使用する図である。
【図２】スタンドの支持脚とスプレッダアームのロックの概略拡大図である。
【図３】図１（ｄ）の拡大図である。
【図４】（ａ）〜（ｄ）は、本発明によるスプレッダの代替の実施形態の異なる４方向から見た斜視図である。
【図５】最大に延長した状態の、図４に示すスプレッダと三脚の組合せの斜視図である。
【図６】図５に示すスタンドであり、（ａ）は短縮した状態の斜視図、（ｂ）は斜め上方からの部分拡大図である。
【図７】（ａ）〜（ｃ）は、一脚の代替の実施形態の斜視図および部分拡大図である。
【図８】スタンドの雲台をスプレッダ、スタンドまたは一脚に固定する固定機構の斜視図である。
【図９】図４に示す本発明によるスプレッダのアームのより低い領域にある第１のロック要素の拡大図である。
【図１０】スタンドの第２のロック要素の拡大斜視図である。
【符号の説明】
【００５５】
１０  スプレッダ
１１  本体
１２  アーム
２２  第１のロック要素
２３  第２のロック要素
２７  フット部
３０  スタンド
３１  支持脚
【図１】
0005186312.tif 000002
【図２】
0005186312.tif 000003
【図３】
0005186312.tif 000004
【図４】
0005186312.tif 000005
【図５】
0005186312.tif 000006
【図６】
0005186312.tif 000007
【図７】
0005186312.tif 000008
【図８】
0005186312.tif 000009
【図９】
0005186312.tif 000010
【図１０】
0005186312.tif 000011